(57)【要約】【課題】利便性良くマスクを介して施術を行うシート電極を提供する。【解決手段】所定の領域を被覆するマスクを介して施術を行うためのシート電極であって、前記マスクに対して、当該シート電極を着脱可能とする接着部材と、前記所定の領域に接した状態で、前記所定の領域に施術を行う信号を供給する電極とを有することにより上記課題を解決する。【選択図】図３
2014068847.tif 000002
【特許請求の範囲】
【請求項１】
所定の領域を被覆するマスクを介して施術を行うためのシート電極であって、
前記マスクに対して、当該シート電極を着脱可能とする接着部材と、
前記所定の領域に接した状態で、前記所定の領域に施術を行う信号を供給する電極とを有することを特徴とするシート電極。
【請求項２】
可塑性であることを特徴とする請求項１に記載のシート電極。
【請求項３】
前記電極を塑性変形した状態を保持する保持部材を有することを特徴とする請求項２に記載のシート電極。
【請求項４】
前記所定の領域に対応した形状を有することを特徴とする請求項１乃至３のいずれか一項に記載のシート電極。
【請求項５】
前記所定の領域に対応した形状の外周に内接する最大の円の直径が所定の長さを有することを特徴とする請求項４に記載のシート電極。
【請求項６】
前記マスクは、所定の成分が含浸していることを特徴とする請求項１乃至５のいずれか一項に記載のシート電極。
【請求項７】
前記所定の成分は、薬剤、医薬品、及び化粧品のうち少なくとも１つに含まれる１又は複数の成分であることを特徴とする請求項６に記載のシート電極。
【請求項８】
前記電極は、
前記施術を行う信号を出力する装置から、前記施術を行う信号が供給されることを特徴とする請求項１乃至７のいずれか一項に記載のシート電極。
【発明の詳細な説明】
【技術分野】
【０００１】
本願は、マスクを介して施術を行うシート電極に関する。
【背景技術】
【０００２】
従来では、皮膚に微弱な電流を流すことで、例えば水溶性の有効成分を皮膚内に効果的に導入するイオン導入法等の施術が知られている。また、顔面を覆うマスクに通電可能な物質を塗布しイオン導入器の電極導子と接続可能とすることで、顔面マスクを用いてイオン導入を行う手法が知られている（例えば、特許文献１参照）。
【先行技術文献】
【特許文献】
【０００３】
【特許文献１】特開平０９−１６９６１７号公報
【発明の概要】
【発明が解決しようとする課題】
【０００４】
しかしながら、上述したような従来手法では、顔面を覆うマスクに予め通電可能な物質が塗布されているため、例えばユーザが施術を行いたい箇所に電極を自由に移動させることができなかった。また、通電可能な物質が塗布されている専用のマスクを使用する必要があり、例えば市販のマスクを用いて繰り返し施術を行うことができなかった。
【０００５】
開示の技術は、上記の点に鑑みてなされたものであり、利便性良くマスクを介して施術を行うシート電極を提供することを目的とする。
【課題を解決するための手段】
【０００６】
開示の技術の一観点によれば、上記目的を達成するために、所定の領域を被覆するマスクを介して施術を行うためのシート電極であって、前記マスクに対して、当該シート電極を着脱可能とする接着部材と、前記所定の領域に接した状態で、前記所定の領域に施術を行う信号を供給する電極とを有することを特徴とする。
【発明の効果】
【０００７】
開示の技術によれば、利便性良くマスクを介して施術を行うシート電極を提供することが可能となる。
【図面の簡単な説明】
【０００８】
【図１】本実施形態に係るシート電極を用いた施術例の一例を示す図である。
【図２】本実施形態に係るシート電極が設けられる顔面マスクの一例を示す図である。
【図３】本実施形態に係るシート電極を説明するための図である。
【図４】本実施形態に係るシート電極の接着部材について説明するための図である。
【図５】シート電極の形状及び接着部材の取付位置を説明するための図である。
【図６】施術領域に対応したシート電極の形状の一例を示す図である。
【図７】可塑性を有するシート電極を説明するための図である。
【発明を実施するための形態】
【０００９】
以下、実施の形態について詳細に説明する。
【００１０】
＜シート電極を用いた施術例＞
図１は、本実施形態に係るシート電極を用いた施術の一例を示す図である。図１の例では、シート電極１０は、ユーザ（例えば被施術者等）の顔面の所定の領域を被覆する顔面マスク２０上に設けられ、施術を行う信号（例えば、施術用信号）を出力する出力装置３０に接続される。
【００１１】
シート電極１０に出力装置３０から施術を行う信号が供給されると、例えばイオン導入の場合には、シート電極１０に流れる微弱電流（例えば１０μＡ〜１ｍＡ程度）により顔面マスク２０に含まれる有効成分がユーザの皮膚に浸透していくこととなる。
【００１２】
このように、シート電極１０を用いることにより、例えば顔面マスク２０を介してユーザに施術を行うことが可能となる。
【００１３】
シート電極１０は、例えば顔面マスク２０に対して着脱可能となるための接着部材や出力装置３０から施術を行う信号が供給される電極等が一体化されている。
【００１４】
顔面マスク２０は、例えば保水性や耐水性を有する不織布等により成形された顔面用マスクであり、例えば市販で使用される美顔用マスク等であっても良い。
【００１５】
顔面マスク２０は、例えば薬剤、医薬品、及び化粧品（例えば化粧水、乳液、クリーム、ゲル等）のうち少なくとも１つに含まれる１又は複数の有効成分、例えば、皮膚を活性化させるビタミンＣ及びその誘導体、トラネキサム酸、４メトキシサリチル酸及びその塩、リドカイン、ジフェンヒドラミン等の水溶性の有効成分等が含浸している。
【００１６】
出力装置３０は、例えばスマートフォン、携帯電話、タブレット端末、ＰＤＡ（Ｐｅｒｓｏｎａｌ  Ｄａｔａ  Ａｓｓｉｓｔａｎｔ）、例えばｉＰｏｄ（登録商標）等のＰＤ（Ｐｏｒｔａｂｌｅ  Ｄｅｖｉｃｅ）、ＰＣ（Ｐｅｒｓｏｎａｌ  Ｃｏｍｐｕｔｅｒ）、ゲーム機等の一般に普及しているコンテンツ再生装置であっても良く、イオン導入等の施術を行う信号を出力する装置であれば良い。
【００１７】
上述した構成により、顔面マスク２０上の施術したい箇所にシート電極１０を自由に取り付けることが可能となり、更に同一のシート電極１０を用いて繰り返し施術を行うことが可能となる。したがって、シート電極１０によれば、利便性良くマスクを介して施術を行うことが可能となる。
【００１８】
＜顔面マスク２０＞
図２は、本実施形態に係るシート電極が設けられる顔面マスクの一例を示す図である。図２（Ａ）は、顔面マスク２０がユーザの顔面を覆った状態を示し、図２（Ｂ）は、顔面マスク２０の平面図を示している。
【００１９】
図２（Ａ）に示すように、シート電極１０を用いて施術を行う場合には、例えば顔面マスク２０を顔面に被せ、例えば顔面マスク２０に含浸した有効成分をユーザの顔面全体に付着した状態とする。
【００２０】
図２（Ｂ）に示すように、顔面マスク２０は、例えばユーザの顔面の形状に合わせて成形され、例えばユーザの目や口、鼻等に対応する部分に開口部が形成されている。
【００２１】
上述した顔面マスク２０は、例えば、顔面全体を覆う形状としているがこれには限定されず、例えば施術を行いたい目元や頬等の領域のみ覆う形状としても良い。
【００２２】
＜シート電極１０の構成＞
図３は、本実施形態に係るシート電極を説明するための図である。図３（Ａ）は、シート電極１０の裏面の平面図を示し、図３（Ｂ）は、シート電極１０の表面の平面図を示す。また、図３（Ｃ）は、図３（Ａ）のＩ−ＩＩに示す線上で切断したときの断面図を示す。
【００２３】
図３（Ａ）に示すように、シート電極１０の裏面には、電極１１と、接着部材１２と、ホック式電極端子１３とが設けられている。
【００２４】
電極１１は、例えばホック式電極端子１３を介して出力装置３０から施術を行う信号が供給される。電極１１は、例えばカーボン等により構成されるが、アルミニウム、ステンレス、白金、Ａｇ／ＡｇＣｌ等により構成されても良い。また、電極１１の形状は、例えばシート状（面状）やメッシュ状により構成されると良い。
【００２５】
接着部材１２は、例えば有効成分が含浸した顔面マスク２０に対してシート電極１０を着脱可能な状態とする。接着部材１２は、例えば面ファスナー等により構成されるが、これに限定されるものではない。
【００２６】
接着部材１２は、例えば面ファスナーにより構成される場合にはフック側として機能し、顔面マスク２０がループ側として機能することで、顔面マスク２０に対して電極１１を貼り付けたり剥がしたりすることが可能となる。
【００２７】
ホック式電極端子１３は、例えばシート電極１０の表面側と裏面側とが連通するように設けられる。例えば、ホック式電極端子１３が出力コードのコネクタ部と接続されることにより、出力装置３０と電極１１とを電気的に接続する。
【００２８】
また、図３（Ｂ）に示すように、シート電極１０の表面には、例えば台紙１４が設けられ、出力コードのコネクタ部と接続するためのホック式電極端子１３のホック部分が現れている。
【００２９】
台紙１４は、例えば電極１１と接着部材１２とホック式電極端子１３とを一体化するために用いられる。
【００３０】
台紙１４は、例えばポリプロピレン等を主原料とするフィルム法合成紙（例えばユポ（登録商標）ＦＰＧ−６０（厚さ６０μｍ））等により構成されるが、例えば紙に限定されるものではなく、例えば繰り返し使用可能な耐水性や、顔面に密着する柔軟性を有するものを用いると良い。また、台紙１４は、例えば伸縮性を有していても良い。
【００３１】
また、図３（Ｃ）に示すように、シート電極１０は、顔面マスク２０に対して、電極１１と接着部材１２とがそれぞれ対面するように台紙１４に接着されている。また、ホック式電極端子１３は、電極１１及び台紙１４を連通するように設けられている。
【００３２】
すなわち、台紙１４側のホック式電極端子１３は、出力装置３０の出力コード３１のコネクタ部と接続可能な状態に設けられると良い。また、電極１１側のホック式電極端子１３は、例えばシール状の台紙１５等により覆うように構成されても良く、例えば電極１１に埋め込まれても良く、電極１１と連通可能な状態に設けられると良い。
【００３３】
なお、図３（Ｃ）の例では、台紙１４上の縁部に接着部材１２を設け、接着部材１２の間（台紙１４の中央領域）に電極１１を設けているがこれには限定されず、例えば台紙１４上の縁部まで（例えば台紙１４と同じサイズで全体に重なるように）電極１１を設け、電極１１上の縁部に接着部材１２を設けても良い。このように、電極１１と接着部材とは、例えば顔面マスク２０に対面するように構成されれば良い。
【００３４】
上述したように、シート電極１０は、電極１１と接着部材１２とホック式電極端子１３とが台紙１４により一体化されるよう形成されている。
【００３５】
また、シート電極１０によれば、顔面マスク２０に対して着脱可能であるため、顔面マスク２０を介してユーザの施術したい箇所に施術することが可能となる。また、同一のシート電極１０は繰り返し使用可能であるため、顔面マスク２０を使用した後も新たな顔面マスク２０に取り替えることで何度でも施術に用いることが可能となる。このように、シート電極１０によれば、利便性良くマスクを介して施術を行うことが可能となる。
【００３６】
＜接着部材１２＞
図４は、本実施形態に係るシート電極の接着部材について説明するための図である。図４（Ａ）は、接着部材１２の一例を示し、図４（Ｂ）は、電極１１の一例を示し、図４（Ｃ）は、台紙１４の一例を示す。
【００３７】
シート電極１０は、例えば、図４（Ａ）に示す接着部材１２と、図４（Ｂ）に示す電極１１とを、図４（Ｃ）に示す台紙１４上に設けることで構成される。
【００３８】
図４（Ａ）に示すように、接着部材１２の形状は、図４（Ｂ）に示す電極１１の円状の縁部に沿った形状とするがこれには限定されない。例えば、接着部材１２は、顔面マスク２０に対してシート電極１０を貼り付けたときに剥がれず、密着するような形状にすれば良い。
【００３９】
ここで、電極１１及び接着部材１２はそれぞれ、台紙１４に対して例えばアクリル製の糊や熱溶着等を用いて接着させると良い。また、電極１１は、上述したカーボン等による導電性物質により構成して、台紙１４上に、例えば印刷や塗布等により設けても良い。
【００４０】
＜シート電極１０の形状と接着部材１２の取付位置＞
図５は、シート電極の形状及び接着部材の取付位置を説明するための図である。なお、図５（Ａ）、図５（Ｂ）は、それぞれシート電極１０の形状及び接着部材の取付位置の一例を示している。また、図５（Ｃ）、図５（Ｄ）は、本実施形態におけるシート電極１０の形状について説明するための図である。
【００４１】
上述したように、シート電極１０は、例えば顔面マスク２０上に貼り付けて用いられるが、ユーザの顔面は凹凸形状（例えば、曲面の顔形状も含まれる）を有し、施術を行いたい箇所である目元や頬等の領域（施術領域）もそれぞれの凹凸形状を有している。また、ユーザごとに、顔面の凹凸形状もそれぞれ異なる。
【００４２】
そこで、本実施形態におけるシート電極１０は、例えば顔面マスク２０上に貼り付けて用いるときに、例えばユーザの顔面の形状に対して空隙を含まないように、例えば密着した状態となる形状に構成されると良い。
【００４３】
例えば、図５（Ａ）の例では、シート電極１０は、その形状の外周に内接するように設けられた最大の円４０の直径１６が、例えば所定の長さ（例えば、約１ｃｍ〜３ｃｍ等）となるように構成すると良い。
【００４４】
また、図５（Ｂ）の例では、シート電極１０は、その形状の外周に内接するように設けられた最大の円４１の直径１７が、例えば所定の長さとなるように構成すれば良い。
【００４５】
上述のように、シート電極１０は、例えば形状の外周に内接するように設けられた最大の円の直径を所定の長さとすることで、例えばユーザの顔の凹凸形状に沿うように形状を構成することが可能となる。なお、シート電極１０の形状は、顔の凹凸形状に沿わないために生じる電極１１のシワ等による空隙が含まれないように構成すれば良い。
【００４６】
したがって、シート電極１０は、例えばその形状の外周に内接するように設けられた最大の円の直径を、例えば０．５ｃｍ〜４ｃｍ等のように適宜変更しても良く、顔の凹凸形状（例えば、施術領域の形状）に沿うように構成すれば良い。
【００４７】
図５（Ａ）や図５（Ｂ）の例では、接着部材１２は、電極１１の円状の縁部や端部に取り付けられている。
【００４８】
ここで、例えば図５（Ｃ）の例では、シート電極１０は、その形状の外周に内接するように設けられた円４２の直径１８が、上述した所定の長さを超えている。このような形状の場合、シート電極１０が顔の凹凸形状に追従しなくなり、接着部材１２が電極１１の周囲に取り付けられているにもかかわらず、顔面マスク２０に貼り付けたときに空隙を有してしまう可能性がある。
【００４９】
そこで、本実施形態では、例えば図５（Ｄ）に示すように、例えばシート電極１０の全体形状の一部に少なくとも１つの穴を設けて、例えば顔面の形状と密着しなくて良い部分を設けると良い。なお、図５（Ｄ）の例では、電極１１の中央領域に穴を１つ設けているが、これに限定されるものではない。これにより、例えばシート電極１０の形状の外周に内接するように設けられた円４３の直径を所定の長さとなるように構成することが可能となる。
【００５０】
上述したように、シート電極１０は、例えば形状の外周に内接するように設けられた最大の円の直径を所定の長さとなるように構成することで、顔の凹凸形状と沿うよう構成することが可能となる。これにより、顔面マスク２０に貼り付けたときのシート電極１０の密着状態を向上させ、シート電極１０が密着した状態で施術することが可能となる。
【００５１】
＜施術領域に対応したシート電極１０の形状例＞
図６は、施術領域に対応したシート電極の形状の一例を示す図である。なお、図６（Ａ）〜図６（Ｈ）の例では、例えば図５で説明した形状の外周に内接するように設けられた最大の円の直径を所定の長さとしながら、施術領域に対応したシート電極１０の形状を説明する。
【００５２】
図６（Ａ）は、３つの円状を有したシート電極１０の一例を示し、図６（Ｂ）は、４つの円状を有したシート電極の一例を示し、図６（Ｃ）は、矩形の両端を円状にしたシート電極１０の一例を示す。また、図６（Ｄ）は、全体が円状のシート電極１０の一例を示し、図６（Ｅ）は、図６（Ｃ）に示す一端を円状として、他端に向けて径を小さくしたシート電極１０の一例を示し、図６（Ｆ）は、３つの円状を矩形状に接続したシート電極１０の一例を示す。また、図６（Ｇ）は、「つ」状のシート電極１０の一例を示し、図６（Ｈ）は、傘状のシート電極１０の一例を示す。
【００５３】
図６（Ａ）や図６（Ｂ）に示すシート電極１０は、例えばユーザの顔面の領域のうち、例えば目元や目元から頬にかかる領域に対して施術を行うときに用いる形状を有している。例えば、目元や目元から頬にかかる領域の凹凸形状は、顔面の凹凸形状のうち凹凸形状の高低差は比較的小さいが、なだらかな曲面を有する範囲が広い。
【００５４】
そこで、図６（Ａ）や図６（Ｂ）に示すように、上述した所定の長さの直径を有する円状を複数有する、例えばメッシュ状に構成可能な形状とすることで、顔面の形状に沿うように貼り付けられるため、密着した状態を得ることが可能となる。
【００５５】
また、図６（Ｃ）に示すシート電極１０は、顔面の領域のうち額や、例えば頬や顎、鼻等に対して施術を行うときに用いる形状を有し、図６（Ｄ）に示すシート電極１０は、顔面の領域のうち、例えば額や頬、顎等に対して施術を行うときに用いる形状を有している。
【００５６】
図６（Ｃ）や図６（Ｄ）に示すシート電極１０の形状は、上述した図６（Ａ）や図６（Ｂ）に示すシート電極１０の形状と比較して、上述した所定の長さの直径を有する円状の数が少ない。
【００５７】
したがって、例えば凹凸形状の高低差が小さく、凹凸形状の少ない範囲が広い額や頬だけでなく、凹凸形状の高低差が比較的大きい顎に対しても用いることが可能となる。
【００５８】
一方、例えば凹凸形状の高低差が大きく、凹凸形状を有する範囲が広い鼻に対しては、この凹凸形状に沿った形状を持つ、例えば図６（Ｃ）に示すシート電極１０を用いることも可能である。
【００５９】
また、図６（Ｅ）に示すシート電極１０は、顔面の領域のうち、例えば目元や頬に対して施術を行うときに用いる形状を有し、図６（Ｆ）示すシート電極１０は、顔面の領域のうち、例えば目元や頬、顎等に対して施術を行うときに用いる形状を有する。
【００６０】
図６（Ｅ）に示すシート電極１０は、例えば目元や頬の領域に沿った形状を有しており、図６（Ｆ）に示すシート電極１０は、例えば目元や頬の領域だけでなく顎の領域に沿った形状を有している。したがって、それぞれの顔面の凹凸形状に沿うように貼り付けられるため、密着した状態を得ることが可能となる。
【００６１】
また、図６（Ｇ）に示すシート電極１０は、例えば、顔面の領域のうち目尻に対して施術を行うときに用いる形状を有し、図６（Ｈ）に示すシート電極１０は、例えば、顔面の領域のうち鼻の領域に施術を行うときに用いる形状を有する。
【００６２】
図６（Ｇ）に示すシート電極１０は、同様に、例えば目尻の領域に沿った形状を有しており、図６（Ｆ）に示すシート電極１０は、同様に、例えば鼻の領域に沿った形状を有している。したがって、それぞれの顔面の凹凸形状に沿うように貼り付けられるため、密着した状態を得ることが可能となる。
【００６３】
上述したシート電極１０によれば、図５で説明した形状の外周に内接するように設けられた最大の円の直径を所定の長さとしながら、それぞれの施術領域の凹凸形状に沿った形状を有することで、それぞれの形状に対して空隙を含まないように構成され、密着した状態を得ることが可能となる。
【００６４】
なお、図６に示す接着部材１２の形状は、上述したように、電極１１の円状の縁部や端部に沿った形状とするが、顔面マスク２０に対してシート電極１０を貼り付けたときに剥がれず、密着するような形状にすれば良い。
【００６５】
＜可塑性を有するシート電極１０＞
図７は、可塑性を有するシート電極を説明するための図である。図７（Ａ）は、例えば鼻の領域に対応した形状を有するシート電極１０の一例を示す。また、図７（Ｂ）は、例えば顎や鼻等の領域に対応した形状を有するシート電極１０の一例を示す。
【００６６】
図７（Ａ）に示すシート電極１０は、上述した図６（Ｈ）に示すシート電極１０の表面の一例を示している。上述したように、鼻の領域の凹凸形状は、例えば顔面の他の領域の凹凸形状と比較して、凹凸形状の高低差が大きく、凹凸形状を有する範囲も広い。
【００６７】
そこで、図７（Ａ）に示すように、例えばシート電極１０を鼻の凹凸形状の高低差を有する領域に対して塑性変形させたときに、変形した状態を保持するための保持部材４４をシート電極１０に設けると良い。
【００６８】
図７（Ｂ）に示すシート電極１０は、上述した図６（Ｃ）に示すシート電極１０の表面の一例を示している。例えば顎等の領域も、例えば鼻の領域と同様に、凹凸形状の高低差を有し、凹凸形状の範囲も広い。
【００６９】
そこで、図７（Ｂ）に示すように、例えばシート電極１０を顎等の凹凸形状の高低差を有する領域に対して塑性変形させたときに、変形した状態を保持するための保持部材４５をシート電極１０に設けると良い。
【００７０】
上述した保持部材４４や保持部材４５は、例えば樹脂の針金（例えば、三井化学（株）のテクノロート（登録商標）等）を用いるがこれに限定されず、塑性変形された状態を保持するための材質（材料）を有した部材であれば良い。また、保持部材４４や保持部材４５は、例えば台紙１４に対して例えばアクリル製の糊や熱溶着等を用いて接着しても良く、台紙１４にシール状の台紙を用いて貼り付けても良く、台紙１４に縫い付けても良い。
【００７１】
なお、保持部材４４や保持部材４５は、例えばシート電極１０を施術領域に密着するよう塑性変形させたときに、最も変形する部位に設けても良く、変形する部位に対して複数設けても良い。
【００７２】
上述したように、保持部材４４や保持部材４５を有したシート電極１０を用いることで、塑性変形された状態を保持することが可能となるため、顔面マスク２０を介した顔面の形状に対するシート電極１０の密着力を向上させることが可能となる。
【００７３】
なお、本実施形態では、図７（Ａ）に示す保持部材４４や、図７（Ｂ）に示す保持部材４５を用いずに、シート電極１０全体が塑性変形した状態を保持する材質（材料）により構成されていても良い。
【００７４】
上述したように、本実施形態によれば、マスクを介して施術を行うシート電極を提供する。なお、上述した実施形態では、例えばシート電極を顔面に使用した例について説明したが、これに限定されるものではなく、例えばユーザの首や、肩、腕等の人体の所定の領域にも使用することが可能である。また、シート電極は、出力装置から供給する施術を行う信号を変更することで、上述したイオン導入の他、マイクロカレント（微弱電流療法）、ＥＭＳ（Ｅｌｅｃｔｒｉｃａｌ  Ｍｕｓｃｌｅ  Ｓｔｉｍｕｌａｔｉｏｎ）、低周波治療等の美容施術又はその他の施術に用いることも可能である。
【００７５】
以上、本発明の好ましい実施形態について詳述したが、本発明は係る特定の実施形態に限定されるものではなく、特許請求の範囲に記載された本発明の要旨の範囲内において、種々の変形、変更が可能である。
【符号の説明】
【００７６】
１０  シート電極
１１  電極
１２  接着部材
１３  ホック式電極端子
１４，１５  台紙
２０  顔面マスク
３０  出力装置
３１  出力コード
４０〜４３  円状
４４，４５  保持部材
【図１】
2014068847.tif 000003
【図２】
2014068847.tif 000004
【図３】
2014068847.tif 000005
【図４】
2014068847.tif 000006
【図５】
2014068847.tif 000007
【図６】
2014068847.tif 000008
【図７】
2014068847.tif 000009
【手続補正書】
【提出日】平成25年9月9日(2013.9.9)
【手続補正１】
【補正対象書類名】特許請求の範囲
【補正対象項目名】全文
【補正方法】変更
【補正の内容】
【特許請求の範囲】
【請求項１】
顔面の所定の領域を被覆するマスクを介して施術を行うためのシート電極であって、
前記マスクに対して、当該シート電極を着脱可能とする接着部材と、
前記顔面の所定の領域に施術を行う信号を供給する電極とを有し、
前記電極は、前記顔面の所定の領域のうち施術を行う領域の凹凸形状に対応する形状で構成され、
前記接着部材は、前記施術を行う領域の凹凸形状に対応する形状で構成された前記電極の縁部又は端部に設けられることを特徴とするシート電極。
【請求項２】
可塑性であることを特徴とする請求項１に記載のシート電極。
【請求項３】
前記電極を塑性変形した状態を保持する保持部材を有することを特徴とする請求項２に記載のシート電極。
【請求項４】
前記電極の形状は、複数の円を連続した形状であることを特徴とする請求項１乃至３のいずれか一項に記載のシート電極。
【請求項５】
前記電極は、所定の成分が含浸している前記マスクを介して、前記施術を行う信号を供給することを特徴とする請求項１乃至４のいずれか一項に記載のシート電極。
【請求項６】
前記所定の成分は、薬剤、医薬品、及び化粧品のうち少なくとも１つに含まれる１又は複数の成分であることを特徴とする請求項５に記載のシート電極。
【請求項７】
前記電極は、前記施術を行う信号を出力する装置から、前記施術を行う信号が供給されることを特徴とする請求項１乃至６のいずれか一項に記載のシート電極。
【手続補正２】
【補正対象書類名】明細書
【補正対象項目名】０００６
【補正方法】変更
【補正の内容】
【０００６】
開示の技術の一観点によれば、上記目的を達成するために、顔面の所定の領域を被覆するマスクを介して施術を行うためのシート電極であって、前記マスクに対して、当該シート電極を着脱可能とする接着部材と、前記顔面の所定の領域に施術を行う信号を供給する電極とを有し、前記電極は、前記顔面の所定の領域のうち施術を行う領域の凹凸形状に対応する形状で構成され、前記接着部材は、前記施術を行う領域の凹凸形状に対応する形状で構成された前記電極の縁部又は端部に設けられることを特徴とする。
【手続補正書】
【提出日】平成26年1月20日(2014.1.20)
【手続補正１】
【補正対象書類名】特許請求の範囲
【補正対象項目名】全文
【補正方法】変更
【補正の内容】
【特許請求の範囲】
【請求項１】
顔面の所定の領域を被覆するマスクを介して施術を行うためのシート電極であって、
前記マスクに対して、当該シート電極を着脱可能とする接着部材と、
前記顔面の所定の領域のうち施術を行う領域に対し、施術を行う信号を供給する電極とを有し、
前記電極は、前記顔面の所定の領域のうち施術を行う領域の凹凸形状の高低差、及び曲面に対応させた形状で構成され、
前記接着部材は、前記形状で構成された前記電極の縁部又は端部に設けられ、
前記電極の形状は、複数の円状を有する形状であることを特徴とするシート電極。
【請求項２】
前記複数の円状は、三角形、又は矩形の各頂点の位置に配置されることを特徴とする請求項１に記載のシート電極。
【請求項３】
可塑性であることを特徴とする請求項１又は２に記載のシート電極。
【請求項４】
前記電極を塑性変形した状態を保持する保持部材を有することを特徴とする請求項３に記載のシート電極。
【請求項５】
前記電極は、所定の成分が含浸している前記マスクを介して、前記施術を行う信号を供給することを特徴とする請求項１乃至４のいずれか一項に記載のシート電極。
【請求項６】
前記所定の成分は、薬剤、医薬品、及び化粧品のうち少なくとも１つに含まれる１又は複数の成分であることを特徴とする請求項５に記載のシート電極。
【請求項７】
前記電極は、前記施術を行う信号を出力する装置から、前記施術を行う信号が供給されることを特徴とする請求項１乃至６のいずれか一項に記載のシート電極。
【手続補正２】
【補正対象書類名】明細書
【補正対象項目名】０００６
【補正方法】変更
【補正の内容】
【０００６】
開示の技術の一観点によれば、上記目的を達成するために、顔面の所定の領域を被覆するマスクを介して施術を行うためのシート電極であって、前記マスクに対して、当該シート電極を着脱可能とする接着部材と、前記顔面の所定の領域のうち施術を行う領域に対し、施術を行う信号を供給する電極とを有し、前記電極は、前記顔面の所定の領域のうち施術を行う領域の凹凸形状の高低差、及び曲面に対応させた形状で構成され、前記接着部材は、前記形状で構成された前記電極の縁部又は端部に設けられ、前記電極の形状は、複数の円状を有する形状である。